(57)【要約】【課題】  電力変換装置用電位重量物を載置することができる絶縁性及び強度を備え、かつ、振動・衝撃を吸収できる柔軟性を備えた電力変換装置用電位重量物の振動吸収固定部材を提供すること。【解決手段】  本体の内部に設置する電力変換装置用電位重量物の振動・衝撃を吸収する振動吸収固定部材１０ａ,１０ｂであって、前記振動吸収固定部材１０ａ,１０ｂは、ＦＲＰ素材からなる薄板をコの字形状に成型した成型材を複数枚積層して構成した振動吸収板１Ａ,１Ｂを備え、前記電力変換装置用電位重量物２０ａ,２０ｂの上下に、当該電力変換装置用電位重量物に密着固定するように前記振動吸収板１Ａ,２Ａを配置し、当該振動吸収板１Ａ,２Ａを前記本体３０に固定することにより、当該電力変換装置用電位重量物の振動・衝撃を吸収することを特徴とする電力変換装置用電位重量物の振動吸収固定部材。【選択図】  図１
2019186469.tif 000002
【特許請求の範囲】
【請求項１】
本体の内部に設置する電力変換装置用電位重量物の振動・衝撃を吸収する振動吸収固定部材であって、
前記振動吸収固定部材は、
ＦＲＰ素材からなる薄板をコの字形状に成型した成型材を複数枚積層して構成した振動吸収板を備え、
前記電力変換装置用電位重量物の上下に、当該電力変換装置用電位重量物に密着固定するように前記振動吸収板を配置し、当該振動吸収板を前記本体に固定することにより、当該電力変換装置用電位重量物の振動・衝撃を吸収することを特徴とする電力変換装置用電位重量物の振動吸収固定部材。
【請求項２】
前記振動吸収板の上部若しくは下部若しくは上下に当該振動吸収板を固定する台座を設け、当該台座を本体に固定することを特徴とする請求項１記載の電力変換装置用電位重量物の振動吸収固定部材。
【請求項３】
本体の内部に設置する電力変換装置用電位重量物の振動・衝撃を吸収する振動吸収固定部材であって、
前記振動吸収固定部材は、
ＦＲＰ素材からなる薄板をコの字形状に成型した成型材を複数枚積層して構成した第１及び第２の振動吸収板と、
前記第１及び第２の振動吸収板を固定する台座と、
を備え、
前記台座に固定された前記第２の振動吸収板は、前記台座に固定された前記第１の振動吸収板の対象位置に配置され、
前記電力変換装置用電位重量物の上下に、当該電力変換装置用電位重量物に密着固定するように前記第１及び第２の振動吸収板を固定した台座を配置し、当該台座を前記本体に固定することにより、当該電位重量物の振動・衝撃を吸収することを特徴とする電力変換装置用電位重量物の振動吸収固定部材。
【請求項４】
本体の内部に設置する電力変換装置用電位重量物の振動・衝撃を吸収する振動吸収固定部材であって、
前記振動吸収固定部材は、
ＦＲＰ素材からなる薄板をコの字形状に成型した成型材を複数枚積層して構成した第１及び第２の振動吸収板と、
前記第１及び第２の振動吸収板を固定する台座と、
を備え、
前記台座に固定された前記第２の振動吸収板は、前記台座に固定された前記第１の振動吸収板の配置位置対して９０°回転した位置に配置置され、
前記電力変換装置用電位重量物の上下に、当該電力変換装置用電位重量物に密着固定するように前記第１及び第２の振動吸収板を固定した台座を配置し、当該台座を前記本体に固定することにより、当該電力変換装置用電位重量物の振動・衝撃を吸収することを特徴とする電力変換装置用電位重量物の振動吸収固定部材。
【発明の詳細な説明】
【技術分野】
【０００１】
本発明の実施形態は、電力変換装置用電位重量物の振動吸収固定部材に関する。
【背景技術】
【０００２】
従来、電力変換装置に使用されているヒューズなどの電位がある重量物の固定は、絶縁碍子を使って固定しているが、振動・衝撃対策が必要な製品では、絶縁碍子の強度が低いため、多くの絶縁碍子を必要としていた。
【０００３】
上記、振動・衝撃対策用部材としては、捩れや反りがなく、表面平滑で機械的性質に優れ、かつ、軽量であり、耐久性に優れ、傷がつきにくいことを特徴とするヘッドホーンステレオ等のＦＲＰ（Fiberglass Reinforced Plastics：繊維強化プラスチック）筐体が公開されている（例えば、特許文献１参照。）。なお、ＦＲＰには、混入する繊維により、ガラス繊維強化プラスチックや炭素繊維強化プラスチックなどが知られている。
【先行技術文献】
【特許文献】
【０００４】
【特許文献１】特開２０１６−１０７９５２号公報
【発明の概要】
【発明が解決しようとする課題】
【０００５】
しかしながら、絶縁碍子は振動・衝撃に対する十分な強度を得ることが難しく、上記ＦＲＰを用いた場合には、ガラス繊維の量を多くすると、成型等加工性が損なわれるなどの課題があった。
【０００６】
本発明は、上述した課題を解決するためになされたもので、（１）電位重量物を載置することができる絶縁性と強度を備え、（２）振動・衝撃を吸収できる柔軟性があり、（３）軽量であり、かつ、（４）加工、取り付けが容易な、電力変換装置用電位重量物の振動吸収固定部材を提供することを目的とする。
【課題を解決するための手段】
【０００７】
上記目的を達成するために、本発明の電力変換装置用電位重量物の振動吸収固定部材は、本体の内部に設置する電力変換装置用電位重量物の振動・衝撃を吸収する振動吸収固定部材であって、前記振動吸収固定部材は、ＦＲＰ素材からなる薄板をコの字形状に成型した成型材を複数枚積層して構成した振動吸収板を備え、前記電力変換装置用電位重量物の上下に、当該電力変換装置用電位重量物に密着固定するように前記振動吸収板を配置し、当該振動吸収板を前記本体に固定することにより、当該電力変換装置用電位重量物の振動・衝撃を吸収することを特徴とする。
【発明の効果】
【０００８】
この発明によれば、コの字状のＦＲＰ（繊維強化プラスチック）素材の振動吸収固定部材を２個用いて、電力変換装置用電位重量物を上下から挟み込むことにより、絶縁性、柔軟性、軽量性、加工性に優れ、かつ、強度を備えた振動吸収固定部材を提供することができる。
【図面の簡単な説明】
【０００９】
【図１】実施例１に係る振動吸収固定部材を電力変換装置用電位重量物としてのヒューズの固定に使用した場合の一実施例。
【図２】図１に係る振動球中固定部材の詳細図。
【図３】実施例２に係る振動吸収固定部材を電量変換用電位重量物としてのヒューズの固定に使用した場合の一実施例。
【図４】実施例３に係る振動吸収固定部材を電力変換装置用電位重量物としてのヒューズの固定に使用した場合の一実施例。
【発明を実施するための形態】
【００１０】
以下、図面を参照して本発明の実施例について説明する。
【実施例１】
【００１１】
図１は、実施例１に係る振動吸収固定部材１０ａ,１０ｂを用いて、電力変換装置用電位重量物であるヒューズ２０ａ,２０ｂを、上下から挟み込むことにより本体３０に固定した場合の一例で、図１（１）はその正面図で、図１（２）は図１（１）の右側面図で、図１（３）は振動・衝撃の方向を示す場合の座標である。なお、電力変換装置用電位重量物とは、インバータ又はコンバータなどの電力変換装置に使用されているヒューズなどの電位がある重量物のことである。
【００１２】
図２は、図１に係る振動吸収固定部材１０ａの詳細図で、図２（１）は振動吸収固定部材１０ａの平面図で、図２（２）は振動吸収固定部材１０ａの正面図で、図２（３）は振動吸収固定部材１０ａの下面図ある。以下、これらの図を参照して説明する。なお、振動吸収固定部材１０ａと１０ｂは、本実施例では同一物であるため、特に区別する必要がない場合は、振動吸収固定部材１０と記す。
【００１３】
振動吸収固定部材１０ａは、振動吸収板１Ａ並びに上部台座３ａ１及び下部台座３ａ２などで構成される。
【００１４】
プラスチックは、軽量であるが、弾性率が低く振動吸収材などの構造用材料としては適さないことから、ガラス繊維のように弾性率の高い材料との複合材料としてＦＲＰ（Fiber Reinforced Plastics：繊維強化プラスチック）を上記振動吸収板１Ａに用いている。
【００１５】
振動吸収板１Ａは、上述したＦＲＰ素材からなる薄板をコの字形状に成型した成型材を、複数枚積層して構成される。
【００１６】
ＦＲＰ素材は、素材が繊維強化プラスチックであるため、電気的な絶縁性を確保することができる。即ち、上記「発明が解決しようとする課題」（１）に記載の電位重量物を載置することができる絶縁性を確保した。
【００１７】
また、ＦＲＰ素材を、薄板に加工することにより、柔軟性を確保した。また、コの字形状に成型して積層構造とすることにより、柔軟性を確保した上で、重量物に耐える強度を確保した。その結果として、上記「発明が解決しようとする課題」（２）に記載の振動・衝撃を吸収できる柔軟性、及び同（３）に記載の軽量化及び同（４）に記載の加工、取り付が容易な、電力変換装置用重量物の振動吸収固定部材とすることが可能である。
【００１８】
図１（３）のＸ、Ｙ、Ｚの軸は互いに直交する。−Ｘ方向は、図１（１）において水平に左方向（コ字型に加工された衝撃吸収板１Ａの閉じた方向）である。＋Ｘ方向は−Ｘ方向の逆方向である。−Ｙ方向は図１（２）において水平に左方向である。＋Ｙ方向は−Ｙ方向の逆方向である。+Ｚ方向は上方向である。-Ｚ方向は+Ｚ方向の逆である。
【００１９】
また、振動吸収板１Ａは、ＦＲＰ素材の薄板をコの字形状に成型して積層構造としたため、図１（３）に示す矢印＋Ｘ方向に加えられた振動・衝撃力に対する柔軟性は、図示矢印−Ｘ方向に加えられた振動・衝撃力に対する柔軟性に比べて大きく、同図示矢印−Ｚ方向に加えられた振動・衝撃力に対する柔軟性は、図示矢印＋Ｚ方向に加えられた振動・衝撃力に対する柔軟性に比べて大きいことから、＋Ｘ方向及び−Ｚ方向の振動・衝撃を吸収する場合に好適である。
【００２０】
なお、上述した強度は、電力変換装置用電位重量物の重量に応じて、積層する成型材の厚さ又は積層枚数を適切に設定することにより対応することが可能である。
【００２１】
振動吸収板１Ａの上部は、上部台座３ａ１に４個のネジ１ａ,１ｂ,１ｃ,１ｄで密着固定される(図２（１）参照)。同様に、振動吸収板１Ａの下部は、下部台座３a２に４個のネジ１ｅ、１ｆ,１ｇ,１ｈで密着固定される(図２（３）参照)。
【００２２】
本実施例１に係る振動吸収固定部材１０ｂは、振動吸収固定部材１０ａと同一に構成された場合を想定している。
【００２３】
振動吸収固定部材１０ａの振動吸収板１Ａの上部台座３ａ１及び振動吸収固定部材１０ｂの振動吸収板２Ａの下部台座３ｂ２は、それぞれ本体３０に固定されるが、本体の構造又は取り付けスペースなどによりこれらの台座の一方又は両方を省略して当該本体３０に取り付けることも可能であり、その場合は、振動吸収固定部材１０ａの振動吸収板１Ａの上部及び振動吸収固定部材１０Ｂの振動吸収板２Ａの下部は、それぞれ本体３０に直接ネジ等により固定される。
【００２４】
図２（１）は、振動吸収固定部材１０ａの平面図である。図示した例では、振動吸収板１Ａの上部は、上部台座３ａ１の中央部分に密着固定される。図２（３）は、振動吸収固定部材１０ａの底面図である。また、振動吸収固定部材１０ａの下部は、下部台座３ａ２の中央部に密着固定される。
【００２５】
本実施例１では、振動吸収固定部材１０ｂは、振動吸収固定部材１０ａと同一に構成された振動吸収板２Ａを用いたが、必ずしもこれに限らない。振動吸収固定部材１０ｂには、電力変換装置用電位重量物２０ａ,２０ｂが載置されるが、振動吸収固定部材１０ａには、当該重量物が載置されないためである。
【００２６】
また、振動吸収板１Ａ及び２Ａの大きさ、並びに上記上部台座３ａ１及び下部台座３ａ２の大きさは、当該振動吸収固定部材１０ａ及び１０ｂで挟み込む電力変換装置用電位重量物の大きさ及び重量により適宜設定される。
【実施例２】
【００２７】
図３は、実施例２に係る振動吸収固定部材１１ａ,１１ｂを用いて、電力変換装置用電位重量物としてのヒューズ２１ａ、２１ｂを、上下から挟み込むことにより本体３０に固定した場合の一例で、図３（１）はその正面図で、図３（２）は図３（１）の右側面図で、図３（３）は振動・衝撃の方向を示す場合の座標である。
【００２８】
また、実施例１と同一のものには同一符号を付し、その説明を省略し、主に異なる部分の説明を行う。なお、本実施例では、振動吸収固定部材１１ａ及び１１ｂは同一物であるため、特に区別す必要がない場合は、振動吸収固定部材１１と記す。
【００２９】
Ｘ、Ｙ、Ｚの軸は互いに直交する。−Ｘ方向は図３（１）において水平に左方向（コ字型に加工された衝撃吸収板１Ａ，２Ａの閉じた方向）である。＋Ｘ方向は−Ｘ方向の逆方向である。−Ｙ方向は図３（２）において水平に左方向である。＋Ｙ方向は−Ｙ方向の逆方向である。+Ｚ方向は上方向である。-Ｚ方向は+Ｚ方向の逆である。
【００３０】
振動吸収固定部材１１ａは、２個の振動吸収板１Ａ，１Ｂ並びに上部台座３ａ３及び下部台座３ａ４などで構成される。
【００３１】
振動吸収板１Ａ,１Ｂの上部は、上部台座３ａ３に固定され、振動吸収板１Ａ,１Ｂの下部は、下部台座３ａ４に固定される。
【００３２】
振動吸収固定部材１１ｂは、振動吸収固定部材１１ａ同様に、２個の振動吸収板２Ａ，２Ｂ並びに上部台座３ｂ３及び下部台座３ｂ４などで構成される。
【００３３】
振動吸収板２Ａ,２Ｂの上部は、上部台座３ｂ３に固定され、振動吸収板２Ａ,２Ｂの下部は、下部台座３ｂ４に固定される。
【００３４】
振動吸収固定部材１１ａは、振動吸収固定部材１１ａを構成する２個の振動吸収板１Ａ，１Ｂが、図示矢印Ｚ１−Ｚ２で示す線分に対して対象位置に配置される。また、振動吸収固定部材１１ａは、振動吸収板を２個用いたことに伴い、上部台座３ａ３及び下部台座３ａ４は、対応する実施例１の上部台座３ａ１及び下部台座３ａ２に比べて振動吸板１Ａ，１Ｂに当接する部分の面積が大きくなる。
【００３５】
実施例２は、このような構成にすることにより、実施例１に比べて、電力変換装置用電位重量物の重量が大きい場合に好適である。
【００３６】
また、振動吸収板１Ａ，１Ｂが図示矢印Ｚ１−Ｚ２で示す線分に対して対象位置に配置されていることから、図示矢印＋Ｘ方向に加えられた振動・衝撃力に対する柔軟性と、図示矢印−Ｘ方向に加えられた振動・衝撃力に対する柔軟性は同じになる（図３（３）参照）。また、図示矢印−Ｚ方向に加えられた振動・衝撃力に対する柔軟性は、図示矢印＋Ｚ方向に加えられた振動・衝撃力に対する柔軟性に比べて大きいことから、＋Ｘ方向、−Ｘ方向及び−Ｚ方向の振動・衝撃を吸収する効果が大きいと推定される（図３（３）参照）ことから、図示矢印＋Ｘ方向、-Ｘ方向及び−Ｚ方向の振動を吸収したい場合に好適な配置となることが期待される。
【００３７】
実施例２に係る振動吸収固定部材１１ｂは、上述した振動吸収固定部材１１ａと同様であることからその説明を省略する。
【実施例３】
【００３８】
図４は、実施例３に係る振動吸収固定部材１２ａ,１２ｂを用いて、電力変換装置用電位重量物であるヒューズ２２ａ、２２ｂを、上下から挟み込むことにより本体３０に固定した場合の一例で、図４（１）はその正面図で、図４（２）は図４（１）の右側面図で、図４（３）は振動・衝撃の方向を示す場合の座標である。
【００３９】
また、実施例１又は実施例２と同一のものには同一符号を付し、その説明を省略し、主に異なる部分の説明を行う。なお、振動吸収固定部材１２ａ及び１２ｂは、本実施例では、同一物であるため、特に区別する必要がない場合は、振動吸収固定部位材１２と記す。
【００４０】
振動吸収固定部材１２ａは、２個の振動吸収板１Ａ，１Ｂ並びに上部台座３ａ５及び下部台座３ａ６などで構成される。
【００４１】
Ｘ．Ｙ，Ｚの軸は互いに直交する。―Ｘ方向は図４（１）において水平に左方向（コ字型に加工された衝撃吸収板１Ａ，２Ａの閉じた方向）である。＋Ｘ方向は−Ｘ方向の逆方向である。−Ｙ方向は図４（２）において水平に左方向である。＋Ｙ方向は−Ｙ方向の逆方向である。+Ｚ方向は上方向である。-Ｚ方向は+Ｚ方向の逆である。
【００４２】
振動吸収板１Ａ,１Ｂの上部は、上部台座３ａ５に固定され、振動吸収板１Ａ,１Ｂの下部は、下部台座３ａ６に固定される。
【００４３】
振動吸収固定部材１２ｂは、２個の振動吸収板２Ａ，２Ｂ並びに上部台座３ｂ５及び下部台座３ｂ６などで構成される。
【００４４】
振動吸収板２Ａ,２Ｂの上部は、上部台座３ｂ５に固定され、振動吸収板２Ａ,２Ｂの下部は、下部台座３ｂ６に固定される。
【００４５】
振動吸収固定部材１２ａは、振動吸収固定部材１２ａを構成する振動吸収板１Ａの配置位置に対して，振動吸収板１Ｂの配置が、反時計方向に９０°回転した位置に配置される。図示した例は、振動吸収固定板１Ｂを振動吸収固定版１Ａに対して反時計方向に回転した場合を示したが、これに限らず、振動吸収固定板１Ｂを振動吸収固定板１Ａに対して時計方向に回転した場合にも同様の効果が得られる。
【００４６】
同様に、振動吸収固定部材１２ｂを構成する振動吸収板１Ａの配置位置に対して、振動吸収板１Ｂの配置位置が、反時計方向に９０°回転した位置に配置される。
【００４７】
実施例３は、このような配置にすることにより、実施例１に比べて、電力変換装置用電位重量物の重量が大きい場合に好適である。また、振動吸収板１Ａの配置に対して、振動吸収板１Ｂの配置が、反時計方向に９０°回転した位置に配置されていることから、図示矢印＋Ｘ方向及び＋Ｙ方位（奥行き方向）に対する振動を吸収する場合に好適である（図４（３）参照）。
【００４８】
本発明はこれに限らず、本発明の趣旨の範囲で変更が可能である。
【００４９】
以上説明したように、本実施例によれば、電力変換装置に使用されているヒューズなどの電位がある重量物の振動・吸収固定部材として、ＦＲＰ素材の薄板をコの字形状に成型して積層構造を用いることにより、上記「発明が解決しようとする課題」（２）に記載の振動・衝撃を吸収できる柔軟性、及び同（３）に記載の軽量化及び同（４）に記載の加工、取り付けが容易な、電力変換装置用重量物の振動吸収固定部材を提供することができる。
【符号の説明】
【００５０】
１Ａ、１Ｂ、２Ａ、２Ｂ  振動吸収板
３ａ１、３ｂ１、３ａ３、３ｂ３、３ａ５、３ｂ５  上部台座
３ａ２、３ｂ２、３ａ４、３ｂ４、３ａ６、３ｂ６  下部台座
１０ａ、１０ｂ  振動吸収固定部材
１１ａ、１１ｂ  振動吸収固定部材
１２ａ、１２ｂ  振動吸収固定部材
２０ａ、２０ｂ  ヒューズ
２１ａ、２１ｂ  ヒューズ
２２ａ、２２ｂ  ヒューズ
３０  本体
【図１】
2019186469.tif 000003
【図２】
2019186469.tif 000004
【図３】
2019186469.tif 000005
【図４】
2019186469.tif 000006